(57)【要約】【課題】粗大物を処理槽から自動的に排出するとともに、処理槽からの発生粉塵量を大幅に低減することができるごみ処理装置を提供すること。【解決手段】横設した回転ドラムからなる処理槽１の内部に塊状の水分調整・攪拌材を収容し、汚水から分離したし渣を乾燥し破砕処理するごみ処理装置において、水分調整・攪拌材としてウッドチップ２を用いるとともに、破砕されないごみの粗大物を排出する大径の排出口３を処理槽１に設ける。【選択図】図１
2008296171.tif 000002
【特許請求の範囲】
【請求項１】
横設した回転ドラムからなる処理槽の内部に塊状の水分調整・攪拌材を収容し、処理槽に投入したごみを乾燥し破砕処理するごみ処理装置において、水分調整・攪拌材としてウッドチップを用いるとともに、破砕されないごみの粗大物を排出する大径の排出口を処理槽に設けたことを特徴とするごみ処理装置。
【発明の詳細な説明】
【技術分野】
【０００１】
本発明は、例えば、下水処理分野等で汚水から分離したし渣を乾燥し破砕処理することにより、その減容化や衛生化を行うごみ処理装置に関するものである。
【背景技術】
【０００２】
ごみ処理装置の１つとして、従来のし渣処理装置は、図２に示すように、処理槽１は回転ドラム式となっており、処理槽１の中には、水分調整・攪拌材としてセラミックボール８が充填されている。
処理槽１は、温風供給により一定温度（約４０℃付近）に保たれ、ごみが処理槽内に供給されると、セラミックボール８の吸水性能や分散効果によりごみは次第に乾燥し、かつバラバラにほぐれて、最終的にパンチング孔で構成された排出孔９より衛生的な性状で排出される。
【０００３】
ここで、セラミックボール８のリークを防止するために、排出孔９を小径多孔のパンチング形状としているが、この排出孔９の形状のために、セラミックボール以上の大きさを持ち、かつ破砕されないごみ（例えば、生理用品等）は永久に処理槽内に滞留してしまい、清掃作業が必要であったり、また、これを放置するとセラミックボール８の界面が上昇してしまい、処理ができなくなるなど維持管理面での問題があった。
また、セラミックボール８からは処理槽１の回転動作により摩耗粉塵が発生し、これも維持管理面において問題があった。
【発明の開示】
【発明が解決しようとする課題】
【０００４】
本発明は、上記従来のごみ処理装置が有する問題点に鑑み、生理用品等の粗大物を処理槽から自動的に排出するとともに、処理槽からの発生粉塵量を大幅に低減することができるごみ処理装置を提供することを目的とする。
【課題を解決するための手段】
【０００５】
上記目的を達成するため、本発明のごみ処理装置は、横設した回転ドラムからなる処理槽の内部に塊状の水分調整・攪拌材を収容し、処理槽に投入したごみを乾燥し破砕処理するごみ処理装置において、水分調整・攪拌材としてウッドチップを用いるとともに、破砕されないごみの粗大物を排出する大径の排出口を処理槽に設けたことを特徴とする。
【発明の効果】
【０００６】
本発明のごみ処理装置によれば、横設した回転ドラムからなる処理槽の内部に塊状の水分調整・攪拌材を収容し、処理槽に投入したごみを乾燥し破砕処理するごみ処理装置において、水分調整・攪拌材としてウッドチップを用いるとともに、破砕されないごみの粗大物を排出する大径の排出口を処理槽に設けることから、従来のセラミックボールを完全に排除するとともに、ウッドチップであれば燃えるごみとして処分可能でありリークしても構わないため、従来の小径多孔のパンチング形状の排出孔は必要なく、大径の丸孔開口部等を処理槽の排出口として適用できる。
これにより、生理用品等の粗大物がスムーズに排出されるようになり、かつセラミックボールからの発生粉塵もなくすことができる。
また、ウッドチップが完全にリークしてしまっても、今度は槽内に滞留している乾燥ごみが従来の水分調整や分散性能を発揮するため、そのまま運転を継続しても従来と全く同等の乾燥ごみが排出される。
さらに、ウッドチップの投入量は、特に限定されるものではないが、容積比でセラミックボールの約１／５程度でよく、重量低減等の効果も出る。
このように、本発明のごみ処理装置では、粗大物は自動的に排出されるようになり、処理槽内の清掃が必要なく、かつ界面上昇現象も生じない。
また、このごみ処理装置は、処理槽からの発生粉塵量が大幅に低減できることが判明しており、性能を維持したまま、維持管理面において大きな効果を発揮することができる。
【発明を実施するための最良の形態】
【０００７】
以下、本発明のごみ処理装置の実施の形態を図面に基づいて説明する。
【実施例１】
【０００８】
図１に、本発明のごみ処理装置の一実施例を示す。
このごみ処理装置は、横設した回転ドラムからなる処理槽１の内部に塊状の水分調整・攪拌材を収容し、汚水から分離したし渣を乾燥し破砕処理するものである。
そして、このごみ処理装置は、水分調整・攪拌材としてウッドチップ２を用いるとともに、破砕されないごみの粗大物を排出する大径の排出口３を処理槽１に設けている。
【０００９】
処理槽１の内部には、投入されるし渣の攪拌効果を高めるために攪拌ブレード４を設けるとともに、ドラム状の処理槽１を横設して回転可能に複数の受けローラ５にて支持している。
受けローラ５に支持された処理槽１は、モータ等の駆動装置６にて駆動される駆動ローラ６１により回転駆動される。
【００１０】
また、処理槽１の投入口７の前方には、送気ファン及び送気温度調節器（図示省略）を配設し、送気ファンにより送気温度調節器を経て温度調節された温風を、処理槽１内に送気しつつドラム状の処理槽１を回転させ、内部のウッドチップ２と、投入されるし渣との攪拌接触を行うことで、し渣を乾燥し物理的に分解（破砕）させ大幅に減容化させる。
この方法で減容され、軽くなった残渣Ｓは、主に攪拌ブレード４の作用で、処理槽１の他端側の排出口３へと移動し排出される。
【００１１】
排出口３は、本実施例では、処理槽１の端部の中心に設けられた直径３００ｍｍ程度の大径単孔の丸孔開口部により形成されている。
また、ウッドチップ２は、木材がチップ化されることで得られ、適当な吸水性を備えている。木材として間伐材や廃材が用いられれば、省資源が達成される。
【００１２】
かくして、本実施例のごみ処理装置は、横設した回転ドラムからなる処理槽１の内部に塊状の水分調整・攪拌材を収容し、汚水から分離したし渣を乾燥し破砕処理するごみ処理装置において、水分調整・攪拌材としてウッドチップ２を用いるとともに、破砕されないごみの粗大物を排出する大径の排出口３を処理槽１に設けることから、従来のセラミックボールを完全に排除するとともに、ウッドチップ２であれば燃えるごみとして処分可能でありリークしても構わないため、従来の小径多孔のパンチング形状の排出孔は必要なく、大径の丸孔開口部等を処理槽１の排出口３として適用できる。
これにより、生理用品等の粗大物がスムーズに排出されるようになり、かつセラミックボールからの発生粉塵もなくすことができる。
また、ウッドチップ２が完全にリークしてしまっても、今度は槽内に滞留している乾燥ごみが従来の水分調整や分散性能を発揮するため、そのまま運転を継続しても従来と全く同等の乾燥ごみが排出される。
さらに、ウッドチップ２の投入量は、特に限定されるものではないが、容積比でセラミックボールの約１／５程度、より具体的には、セラミックボール：１００〜２００Ｌに対して、ウッドチップ２：２０〜４０Ｌの割合で投入するようにし、これにより、重量低減等の効果も出る。
このように、本実施例のごみ処理装置では、粗大物は自動的に排出されるようになり、処理槽１内の清掃が必要なく、かつ界面上昇現象も生じない。
また、このごみ処理装置は、処理槽１からの発生粉塵量が大幅に低減できることが判明しており、性能を維持したまま、維持管理面において大きな効果を発揮することができる。
【００１３】
以上、本発明のごみ処理装置について、その実施例に基づいて説明したが、本発明は上記実施例に記載した構成に限定されるものではなく、その趣旨を逸脱しない範囲において適宜その構成を変更することができる。
【産業上の利用可能性】
【００１４】
本発明のごみ処理装置は、ごみの粗大物を処理槽から自動的に排出するとともに、処理槽からの発生粉塵量を大幅に低減するという特性を有していることから、下水分野のし渣処理の用途に好適に用いることができるほか、例えば、食品分野の生ごみ処理の用途にも用いることができる。
【図面の簡単な説明】
【００１５】
【図１】本発明のごみ処理装置の一実施例を示し、（ａ）はその正面図、（ｂ）は（ａ）のＢ矢視断面図である。
【図２】従来のごみ処理装置を示し、（ａ）はその正面図、（ｂ）は（ａ）のＢ矢視断面図である。
【符号の説明】
【００１６】
１    処理槽
２    ウッドチップ
３    排出口
４    攪拌ブレード
５    受けローラ
６    駆動装置
６１  駆動ローラ
７    投入口
８    セラミックボール
９    排出孔
Ｓ    残渣
【図１】
2008296171.tif 000003
【図２】
2008296171.tif 000004